(57)【特許請求の範囲】
【請求項１】
フレーム（１）に回転自在に支持されたクランク軸（２１）に、当該クランク軸（２１）の回転によりスライドを上下動するためのコネクティングロッド（２３）を連結した構成のプレス機械の駆動装置において、前記フレーム（１）に取付けられて前記クランク軸（２１）を回転自在に支持したメインギヤメタル（２５）の外周にハウジング（９）を回転自在に備え、前記ハウジング（９）内に備えた第１リンクピン（１３）に一端を連結したリンクバー（１５）の他端を、前記クランク軸（２１）に備えたリンクアーム（１９）に第２リンクピン（１７）を介して連結した構成であって、前記ハウジング（９）の前記コネクティングロッド（２３）の反対側の側面に複数の締結部材（１１）によってメインギヤ（７）を取付け、前記フレーム（１）に回転自在に設けた回転軸（３）に備えたギヤ（５）を、前記メインギヤ（７）に噛合した構成であることを特徴とするプレス機械の駆動装置。
【請求項２】
請求項１に記載のプレス機械の駆動装置において、前記メインギヤ（７）は、前記第１リンクピン（１３）を介して前記ハウジング（９）に連結してあることを特徴とするプレス機械の駆動装置。
【発明の詳細な説明】
【０００１】
【発明の属する技術分野】
この発明は、プレス機械の駆動装置に関する。
【０００２】
【従来の技術】
従来のプレス機械の全体構成はすでに公知であるため、概要を簡単に説明すると、サイドフレームの前側下部にはワークを載置せしめる下型を上部に備えたボルスタが設けられていると共に、前記サイドフレームの前側上部には上型を下部に備えた上下動自在なスライドが設けられている。
【０００３】
上記構成により、スライドを上下動せしめると上型と下型の協働によりワークにプレス加工が行われることになる。
【０００４】
前記スライドを上下動せしめるプレス機械の駆動装置としては、例えば図５および図６に示されているように、フレーム１０１を備えており、このフレーム１０１には水平に延伸された回転自在な回転軸１０３が設けられている。この回転軸１０３の左端は前記フレーム１０１内にあって、しかも回転軸１０３の左端にはギヤ１０５が嵌合されている。このギヤ１０５にはメインギヤ１０７が噛合されている。
【０００５】
このメインギヤ１０７の一端（図５において上端）内には第１リンクピン１０９でリンクバー１１１の一端が連結されている。このリンクバー１１１の他端には第２リンクピン１１３でリンクアーム１１５の一端が連結されている。このリンクアーム１１５の他端には水平に延伸されたクランク軸１１７の右端が装着されている。このクランク軸１１７の左端にはコネクティングロッド１１９が上下動自在に設けられている。このコネクティングロッド１１９にはスライドが取付けられている。
【０００６】
上記構成により、回転軸１０３を回転せしめるとギヤ１０５を介してメインギヤ１０７が回転される。このメインギヤ１０７の回転により、リンクバー１１１、リンクアーム１１５を介してクランク軸１１７が回転される。このクランク軸１１７の回転によりコネクティングロッド１１９を介してスライドが上下動されることになる。
【０００７】
また、図７および図８には、図５および図６に代る従来のプレス機械の駆動装置が示されている。図７および図８において、図５および図６における部品と同一の部品には同じ符号を付して重複する説明を省略し、異なる点について説明する。すなわち、図７および図８においては、メインギヤ１０７はハウジング１２１にボルト１２３で取付けられている。そしてハウジング１２１の一端（図７において上端）内には第１リンクピン１０９でリンクバー１１１の一端が連結されている。それ以外の構成は図５および図６における例と同じであるから説明を省略する。
【０００８】
上記構成により、回転軸１０３を回転せしめるとギヤ１０５を介してメインギヤ１０７が回転される。このメインギヤ１０７の回転により、ハウジング１２１、リンクバー１１１、リンクアーム１１５を介してクランク軸１１７が回転される。このクランク軸１１７の回転によりコネクティングロッド１１９を介してスライドが上下動されることになる。
【０００９】
【発明が解決しようとする課題】
ところで、上述した従来の図５，図７に示されているように、リンクアーム１１５上にメインギヤ１０７が位置しているため、メインギヤ１０７を必要以上に大きくしなければならない。また、図７に示されているように、ハウジング１２１とメインギヤ１０７とはボルト１２３で固定するのが一般的であるが、メインギヤ１０７の大トルクをハウジング１２１に伝達する必要があるため、大きなボルト１２３でメインギヤ１０７をハウジング１２１に多数締め付けなければならない。
【００１０】
そのために、リンクユニットの構造が大きくなると共に、コスト高となる。しかも、寸法上の制約が大きく、希望のスライドモーションが得にくいという問題がある。
【００１１】
この発明の目的は、寸法上の制約が少なく、コンパクトで安価なリンク機構を実現すると共に、メインギヤとハウジングの締結をコンパクトで安価で行うようにしたプレス機械の駆動装置を提供することにある。
【００１２】
【課題を解決するための手段】
前述のごとき問題に鑑みて、本発明は、フレームに回転自在に支持されたクランク軸に、当該クランク軸の回転によりスライドを上下動するためのコネクティングロッドを連結した構成のプレス機械の駆動装置において、前記フレームに取付けられて前記クランク軸を回転自在に支持したメインギヤメタルの外周にハウジングを回転自在に備え、前記ハウジング内に備えた第１リンクピンに一端を連結したリンクバーの他端を、前記クランク軸に備えたリンクアームに第２リンクピンを介して連結した構成であって、前記ハウジングの前記コネクティングロッドの反対側の側面に複数の締結部材によってメインギヤを取付け、前記フレームに回転自在に設けた回転軸に備えたギヤを、前記メインギヤに噛合した構成であることを特徴とするものである。
【００１３】
また、前記プレス機械の駆動装置において、前記メインギヤは、前記第１リンクピンを介して前記ハウジングに連結してあることを特徴とするものである。
【００１８】
【発明の実施の形態】
以下、この発明の実施の形態を図面に基いて詳細に説明する。
【００１９】
本実施例におけるプレス機械の全体構成は、従来のプレス機械と同じであるから説明を省略し、プレス機械の駆動装置について説明する。
【００２０】
図１および図２を参照するに、フレーム１を備えており、このフレーム１には水平に延伸された回転自在な回転軸３が設けられている。この回転軸３の左端は前記フレーム１内にあって、しかも回転軸３の左端にはギヤ５が噛合されている。このギヤ５にはメインギヤ７が噛合されている。
【００２１】
このメインギヤ７の一側（図１において左側）をハウジング９の他側（図１において右側）に締結部材としての例えば複数のボルト１１で取付けられている。
【００２２】
前記ハウジング９の一端（図１において上端）内には第１リンクピン１３でリンクバー１５の一端が連結されている。このリンクバー１５の他端には第２リンクピン１７でリンクアーム１９の一端が連結されている。このリンクアーム１９の他端には水平に延伸されたクランク軸２１の右側が装着されている。このクランク軸２１の左側にはコネクティングロッド２３にはスライドが取付けられている。なお、前記メインギヤ７は前記フレーム１に取付けられたメインギヤメタル２５に回転自在に支承されていると共に、クランク軸２１の外周はメインギヤメタル２５の内周面に形成された滑り摺動面２５Ｓで回転自在に支承されている。また、クランク軸２１の左端の外周は前記フレーム１に取付けられたメタル２７の内周面に形成された滑り摺動面２７Ｓで回転自在に支承されている。
【００２３】
上記構成により、回転軸３を回転せしめると、ギヤ５を介してメインギヤ７が回転される。このメインギヤ７の回転により、ハウジング９、リンクバー１５およびリンクアーム１９を介してクランク軸２１が回転される。このクランク軸２１の回転によりコネクティングロッド２３を介してスライドが上下動されることになる。
【００２４】
前記メインギヤ７の一側（図１において左側）をハウジング９の他側（図１において右側、すなわち、前記コネクティングロッド２３の反対側の側面）に複数のボルト１１で締結せしめたことにより、メインギヤ７がリンクバー１５より図１において右側へオフセットされた位置となるから、コンパクトで安価なリンク機構を実現せしめることができる。しかも、リンクバー１５よりも小さいメインギヤ７の搭載が可能となり、寸法上の制約が少なく希望のスライドモーションを得ることができる。また、メインギヤ７を小さくできることにより、回転体の慣性モーメントを小さくすることができる。
【００２５】
図３および図４には、図１および図２に代る他のプレス機械の駆動装置の実施の形態が示されている。図３および図４において、図１および図２における部品と同一の部品には同じ符号を付し、重複する部分の説明を省略し、異なる点についてのみ説明する。
【００２６】
すなわち、図３および図４において、前記メインギヤ７、ハウジング９およびリンクバー１５の３者が第１リンクピン１３で連結されており、それ以外は同じであるので説明を省略する。
【００２７】
上記構成により、回転軸５を回転せしめるとギヤ５を介してメインギヤ７が回転される。このメインギヤ７の回転により、ハウジング９、リンクバー１５およびリンクアーム１９を介してクランク軸２１が回転される。このクランク軸２１の回転により、コネクティングロッド２３を介してスライドが上下動されることになる。
【００２８】
前記メインギヤ７の一側（図３において左側）をハウジング９の他側（図３において右側）に複数のボルト１１で締結せしめたことにより、メインギヤ７が図３において右側へリンクバー１５よりオフセットされた位置となるから、コンパクトで安価なリンク機構を実現せしめることができる。しかも、メインギヤ７、ハウジング９およびリンクバー１５の３者が第１リンクピン１３で連結されているから、メインギヤ７のトルクを第１リンクピン１３を通して直接リンクバー１５に伝えることができる。また、メインギヤ７のトルクは第１リンクピン１３が受けるため、メインギヤ７をハウジング９に締結部材としてのボルト１１は小さくて済む。
【００２９】
なお、この発明は、前述した発明の実施の形態に限定されることなく、適宜の変更を行うことにより、その他の態様で実施し得るものである。
【００３０】
【発明の効果】
以上のごとき発明の実施の形態より理解されるように、本発明によれば、このメインギヤの回転により、ハウジング、リンクバーおよびリンクアームを介してクランク軸が回転される。このクランク軸の回転によりスライドが上下動される。
【００３１】
而して、メインギヤの一側をハウジングの他側に締結部材で締結せしめたことにより、メインギヤがリンクバーよりオフセットされた位置となるから、コンパクトで安価なリンク機構を実現せしめることができる。しかも、リンクバーよりも小さいメインギヤの搭載が可能となり、寸法上の制約が少なく希望のスライドモーションを得ることができる。また、メインギヤを小さくできることにより、回転体の慣性モーメントが小さくできる。
【００３３】
また、メインギヤ、ハウジングおよびリンクバーの３者が第１リンクピンで連結されているから、メインギヤのトルクを第１リンクピンを通して直接リンクバーに伝えることができる。また、メインギヤのトルクは第１リンクピンが受けるため、メインギヤをハウジングに締結せしめる締結部材は小さくてすむ。
【図面の簡単な説明】
【図１】この発明のプレス機械の駆動装置の正面断面図である。
【図２】図１におけるII−II線に沿った拡大断面図である。
【図３】この発明の他のプレス機械の駆動装置の正面断面図である。
【図４】図３におけるIV−IV線に沿った拡大断面図である。
【図５】従来のプレス機械の駆動装置の正面断面図である。
【図６】図５におけるVI−VI線に沿った拡大断面図である。
【図７】従来の他のプレス機械の駆動装置の正面断面図である。
【図８】図７におけるVIII−VIII線に沿った拡大断面図である。
【符号の説明】
１  フレーム
３  回転軸
５  ギヤ
７  メインギヤ
９  ハウジング
１１  ボルト（締結部材）
１３  第１リンクピン
１５  リンク
１７  第２リンクピン
１９  リンクバー
２１  クランク軸
２３  コネクティングロッド
【図１】
0003884121.tif 000002
【図２】
0003884121.tif 000003
【図３】
0003884121.tif 000004
【図４】
0003884121.tif 000005
【図５】
0003884121.tif 000006
【図６】
0003884121.tif 000007
【図７】
0003884121.tif 000008
【図８】
0003884121.tif 000009